(57)【特許請求の範囲】
【請求項１】
延在方向一端部が片持ちで振動体に取付けられるとともに、延在方向他端部が自由端を構成し、排気部品から発生する熱を遮断する遮熱部材を有する排気部品の遮熱構造であって、
前記遮熱部材の延在方向一端部に、ボルトによって前記振動体に支持される第１のボルト支持部、第２のボルト支持部および前記第１のボルト支持部と前記第２のボルト支持部との間に位置する第３のボルト支持部を設け、
前記第３のボルト支持部の座面を前記第１のボルト支持部の座面および前記第２のボルト支持部の座面に対して前記ボルトの軸線方向に離隔させたことを特徴とする排気部品の遮熱構造。
【請求項２】
前記遮熱部材が、前記第１のボルト支持部から前記遮熱部材の延在方向他端部に向かって延在する第１のカバー部と、前記第２のボルト支持部から前記遮熱部材の延在方向他端部に向かって延在する第２のカバー部と、前記第３のボルト支持部から前記遮熱部材の延在方向他端部に向かって延在する第３のカバー部と、前記第１のカバー部と前記第３のカバー部とを段違いに連接する第１の連接部と、前記第２のカバー部と前記第３のカバー部とを段違いに連接する第２の連接部とを含んで構成され、
前記第３のカバー部は前記第３のボルト支持部から前記遮熱部材の延在方向他端部に向かって、前記第３のボルト支持部の座面に対して傾斜することを特徴とする請求項１に記載の排気部品の遮熱構造。
【請求項３】
前記第３のカバー部が、前記第３のボルト支持部から前記遮熱部材の延在方向他端部に向かって幅広に形成されることを特徴とする請求項１または請求項２に記載の排気部品の遮熱構造。
【請求項４】
前記振動体が内燃機関から構成され、前記遮熱部材がドライブシャフトと排気部品との間の遮熱領域に設置されることを特徴とする請求項１ないし請求項３のいずれか１の請求項に記載の排気部品の遮熱構造。
【請求項５】
前記振動体が内燃機関から構成され、前記遮熱部材がプロペラシャフトと排気部品との間の遮熱領域に設置されることを特徴とする請求項１ないし請求項３のいずれか１の請求項に記載の排気部品の遮熱構造。
【発明の詳細な説明】
【技術分野】
【０００１】
本発明は、排気部品の遮熱構造に関し、特に、車両の内燃機関に接続された排気部品から発生する熱が排気部品の周辺部材に伝達されて熱害が発生するのを防止するようにした排気部品の遮熱構造に関する。
【背景技術】
【０００２】
自動車等の車両に搭載された内燃機関は、排気管を通して排気ガスを大気に排出するようになっている。この排気ガスは、非常に高温であり、排気部品の周辺部材に排気部品から発生する熱が拡散するのを防止するために、ヒートインシュレータと称される遮熱部材を設けた排気部品の遮熱構造が知られている。
【０００３】
従来の排気部品の遮熱構造としては、排気管とプロペラシャフトの間に介装されるように、車両のサイドメンバのブラケットにヒートインシュレータが取付けられたものや（例えば、特許文献１参照）、オイルパンと排気管との間に位置するようにしてヒートインシュレータが排気管に取付けられたもの（例えば、特許文献２参照）等が知られている。
【０００４】
ところで、上述したヒートインシュレータは、いずれも延在方向の両端部がサイドメンバや排気管に取付けられる両持ち構造となっているため、ヒートインシュレータを設置するスペースを広く確保する必要がある。
【０００５】
これに対して、周辺部材との干渉を避けて少ない設置スペースでヒートインシュレータを内燃機関等に取付ける場合には、ヒートインシュレータを片持ちで内燃機関等に取付けることが考えられる。
【０００６】
ところが、上述したヒートインシュレータは、車両のサイドメンバや排気管に接続される内燃機関等のような振動体に取付けられているため、内燃機関等からヒートインシュレータに振動が入力されてヒートインシュレータが強制振動してしまう。
【０００７】
また、ヒートインシュレータの共振点がサンドメンバを有するシャーシまたは内燃機関の共振周波数と一致したときに、ヒートインシュレータが大きく振動してしまうことがある。
【０００８】
このため、ヒートインシュレータが振動によって破損するのを防止するためにヒートインシュレータの剛性を高くする必要があった。ヒートインシュレータの剛性を高くするには、ヒートインシュレータの板厚を厚くしたり、高強度な材料からヒートインシュレータを構成したり、ヒートインシュレータをリブによって補強するようにしている。
【先行技術文献】
【特許文献】
【０００９】
【特許文献１】特開２０１０−１４３４１５号公報
【特許文献２】特開２００８−２９８０６０号公報
【発明の概要】
【発明が解決しようとする課題】
【００１０】
しかしながら、このような従来の排気部品の遮熱構造にあっては、ヒートインシュレータの剛性を高くするために、ヒートインシュレータの板厚を厚くしたり、高強度な材料からヒートインシュレータを構成したり、あるいはヒートインシュレータをリブによって補強する必要があるため、ヒートインシュレータが高重量化および大型化してしまう。
【００１１】
このため、折角、ヒートインシュレータを片持ちで支持したのにもかかわらず、ヒートインシュレータの設置スペースが増大してしまうおそれがあった。
【００１２】
本発明は、上述のような従来の問題を解決するためになされたもので、簡素な構成によって遮熱部材の剛性を高めつつ、少ないスペースで遮熱部材を設置することができる排気部品の遮熱構造を提供することを目的とする。
【課題を解決するための手段】
【００１３】
本発明に係る排気部品の遮熱構造は、上記目的を達成するため、（１）延在方向一端部が片持ちで振動体に取付けられるとともに、延在方向他端部が自由端を構成し、排気部品から発生する熱を遮断する遮熱部材を有する排気部品の遮熱構造であって、前記遮熱部材の延在方向一端部に、ボルトによって前記振動体に支持される第１のボルト支持部、第２のボルト支持部および前記第１のボルト支持部と前記第２のボルト支持部との間に位置する第３のボルト支持部を設け、前記第３のボルト支持部の座面を前記第１のボルト支持部の座面および前記第２のボルト支持部の座面に対して前記ボルトの軸線方向に離隔させたものから構成されている。
【００１４】
この排気部品の遮熱構造は、遮熱部材の延在方向一端部に、ボルトによって振動体に支持される第１〜第３のボルト支持部を設け、真ん中に位置する第３のボルト支持部の座面を第１のボルト支持部の座面および第２のボルト支持部の座面に対してボルトの軸線方向に離隔させたので、第３のボルト支持部を第１のボルト支持部および第２のボルト支持部に対して屈曲させることができ、振動体に片持ち支持される遮熱部材の延在方向一端部の断面係数を大きくすることができる。
【００１５】
このため、遮熱部材の板厚を大きくしたり、遮熱部材を高強度な材料から構成したり、あるいは、遮熱部材をリブで補強したりするのを不要にして簡素な構成で遮熱部材の延在方向一端部の剛性を高くすることができる。この結果、振動体から遮熱部材に振動が伝達された場合に遮熱部材の耐久性を向上させることができる。
【００１６】
また、遮熱部材の延在方向一端部がボルトを介して振動体に取付けられ、遮熱部材の延在方向他端部が自由端となっているため、遮熱部材の設置スペースを少なくすることができる。
この結果、簡素な構成によって遮熱部材の剛性を高めつつ、少ないスペースで遮熱部材を設置することができる。
【００１７】
上記（１）に記載の排気部品の遮熱構造において、（２）前記遮熱部材が、前記第１のボルト支持部から前記遮熱部材の延在方向他端部に向かって延在する第１のカバー部と、前記第２のボルト支持部から前記遮熱部材の延在方向他端部に向かって延在する第２のカバー部と、前記第３のボルト支持部から前記遮熱部材の延在方向他端部に向かって延在する第３のカバー部と、前記第１のカバー部と前記第３のカバー部とを段違いに連接する第１の連接部と、前記第２のカバー部と前記第３のカバー部とを段違いに連接する第２の連接部とを含んで構成され、前記第３のカバー部の高さが第３のボルト支持部から前記遮熱部材の延在方向他端部に向かって漸次低くなるように、前記第３のカバー部が傾斜するものから構成されている。
【００１８】
この排気部品の遮熱構造は、第１のカバー部と第３のカバー部とが第１の連接部によって段違いに連接されるとともに、第２のカバー部と第３のカバー部とが第２の連接部によって段違いに連接され、第３のカバー部の高さが、第３のボルト支持部から遮熱部材の延在方向他端部に向かって漸次低くなるように第３のカバー部が傾斜するので、遮熱部材の軸線方向一端部では第３のボルト支持部と第１、第２のボルト支持部との高低差が大きくして断面係数を大きくすることができるのに対して、第１〜第３のカバー部の延在方向他端部の厚みを略同一で薄くすることができる。
【００１９】
したがって、遮熱部材の延在方向一端部の設置スペースに対して遮熱部材の延在方向他端部の設置スペースを大幅に少なくすることができ、全体的に遮熱部材の設置スペースを低減することができる。
【００２０】
また、剛性の高い遮熱部材の延在方向一端部に比べて遮熱部材の延在方向他端部の厚みが小さいので、第３のカバー部の幅方向両側に位置する第１、第２のカバー部の延在方向他端部に振動が発生し易い部位、すなわち、振動主要部が形成される。
【００２１】
このため、第１、第２のカバー部の延在方向他端部の形状を変更して振動主要部の質量を調整することにより、遮熱部材の共振点を容易に変更することができる。この結果、遮熱部材の共振周波数を内燃機関等の共振周波数からずらすことができ、遮熱部材の耐久性をより一層向上させることができる。
【００２２】
上記（１）または（２）に記載の排気部品の遮熱構造において、（３）前記第３のカバー部が、前記第３のボルト支持部から前記遮熱部材の延在方向他端部に向かって幅広に形成されるものから構成されている。
【００２３】
この排気部品の遮熱構造は、第３のカバー部が、第３のボルト支持部から遮熱部材の延在方向他端部に向かって幅広に形成されるので、第３のカバー部が遮熱部材の延在方向一端部から他端部に向かって幅広で漸次低くなるように傾斜することになる。このため、遮熱部材の断面係数を遮熱部材の延在方向一端部から他端部に亘って高くすることができ、遮熱部材の剛性を全体的に高くすることができる。
【００２４】
このため、簡素な構成で遮熱部材全体の剛性を高くすることができ、振動に対する遮熱部材の耐久性をより一層向上させることができる。
【００２５】
上記（１）〜（３）に記載の排気部品の遮熱構造において、（４）前記振動体が内燃機関から構成され、前記遮熱部材がドライブシャフトと排気部品との間の遮熱領域に設置されるものから構成される。
【００２６】
この排気部品の遮熱構造にあっては、遮熱部材がドライブシャフトと排気部品との間の遮熱領域に設置されるので、遮熱部材の延在方向一端部を内燃機関等の振動体にボルトによって片持ちで取付け、遮熱部材の延在方向他端部をドライブシャフトと排気部品の間の隙間に挿通するようにすれば、ドライブシャフトと排気部品との間の隙間が小さい場合であっても、遮熱部材をドライブシャフトと排気部品との間に確実に設置することができる。
【００２７】
このため、排気部品からドライブシャフトに熱が伝達されるのを防止することができ、例えば、遮熱領域に位置するドライブシャフトの部位がドライブシャフトのジョイントを覆う樹脂性またはゴムブーツ等であれば、樹脂性またはゴムブーツが熱によって変形してしたり、ジョイントに充填された潤滑剤が劣化してしまうこと等を防止することができる。
【００２８】
上記（１）〜（４）に記載の排気部品の遮熱構造において、（５）前記振動体が内燃機関から構成され、前記遮熱部材がプロペラシャフトと排気部品との間の遮熱領域に設置されるものから構成されている。
【００２９】
この排気部品の遮熱構造は、遮熱部材がプロペラシャフトと排気部品との間の遮熱領域に設置されるので、遮熱部材の延在方向一端部を内燃機関等の振動体にボルトによって片持ちで取付け、遮熱部材の延在方向他端部をプロペラシャフトと排気部品の間の隙間に挿通するようにすれば、プロペラシャフトと排気部品との間の隙間が小さい場合であっても、遮熱部材をプロペラシャフトと排気部品との間に確実に設置することができる。
【００３０】
このため、排気部品からプロペラシャフトに熱が伝達されるのを防止することができ、例えば、遮熱領域に位置するプロペラシャフトの部位がプロペラシャフトのジョイントを覆う樹脂性またはゴムブーツ等であれば、樹脂性またはゴムブーツが熱によって変形したり、ジョイントに充填された潤滑剤が劣化してしまうこと等を防止することができる。
【発明の効果】
【００３１】
本発明によれば、簡素な構成によって遮熱部材の剛性を高めつつ、少ないスペースで遮熱部材を設置することができる排気部品の遮熱構造を提供することができる。
【図面の簡単な説明】
【００３２】
【図１】本発明に係る排気部品の遮熱構造の一実施の形態を示す図であり、内燃機関およびトランスアクスルを下方から見た図である。
【図２】本発明に係る排気部品の遮熱構造の一実施の形態を示す図であり、排気管、ドライブシャフトおよびヒートインシュレータの位置関係を示す図である。
【図３】本発明に係る排気部品の遮熱構造の一実施の形態を示す図であり、ヒートインシュレータの斜視図である。
【図４】本発明に係る排気部品の遮熱構造の一実施の形態を示す図であり、ヒートインシュレータの上面図である。
【図５】本発明に係る排気部品の遮熱構造の一実施の形態を示す図であり、ヒートインシュレータの背面図である。
【図６】本発明に係る排気部品の遮熱構造の一実施の形態を示す図であり、ヒートインシュレータの側面図である。
【図７】本発明に係る排気部品の遮熱構造の一実施の形態を示す図であり、他の形状のヒートインシュレータの斜視図である。
【図８】本発明に係る排気部品の遮熱構造の一実施の形態を示す図であり、他の形状のヒートインシュレータの上面図である。
【発明を実施するための形態】
【００３３】
以下、本発明に係る排気部品の遮熱構造の実施の形態について、図面を用いて説明する。
図１〜図８は、本発明に係る排気部品の遮熱構造の一実施の形態を示す図である。
まず、構成を説明する。
図１において、自動車等の車両には内燃機関１が搭載されており、この内燃機関は、ピストンを摺動自在に収納したシリンダブロックと、シリンダブロックの上部に搭載され、吸気バルブおよび排気バルブを有するシリンダヘッドと、シリンダブロックの下部に取付けられ、回転運動をピストンの上下運動に変換するためのクランクシャフトを回転自在に支持するクランクケースと、クランクケースの下部に取付けられ、オイルが充填されたオイルパン１ａとを含んで構成されている。
【００３４】
内燃機関１にはトランスアクスル２が設けられており、このトランスアクスル２は、内燃機関１の動力をドライブシャフト３Ｒ（図１では、右側のドライブシャフト３Ｒのみを図示）を介して駆動輪に伝達するようになっている。
【００３５】
ドライブシャフト３Ｒは、シャフト４の一端部にジョイント５が連結されるとともに、シャフト４の他端部に図示しないジョイントが連結されたものから構成されている。ジョイント５は、トランスアクスル２のディファレンシャル装置に連結されており、シャフト４の他端部に連結されるジョイントは、駆動輪に連結されている。
【００３６】
ジョイント５およびシャフト４の他端部に連結されたジョイントは、ディファレンシャル装置から駆動輪に駆動トルクを伝達する共に、車両のサスペンション装置あるいはステアリング装置による車輪の動きを吸収する機能を有している。
【００３７】
また、ジョイント５およびシャフト４の他端部に連結されたジョイントは、樹脂性またはゴムブーツ６によって覆われており、この樹脂性またはゴムブーツ６は、ジョイント５およびシャフト４の他端部に連結されたジョイントの内部に潤滑剤を保持すると共に外部からの異物の侵入を防止している。
【００３８】
また、図１、図２に示すように、内燃機関１およびトランスアクスル２の下方には排気部品としての排気管７が設けられており、この排気管７は、内燃機関１から排気マニホールドを通して排気された排気ガスを大気に導くように、車両の前後方向に沿って延在している。
【００３９】
本実施の形態では、排気管７の直上に位置するようにドライブシャフト３Ｒの樹脂性またはゴムブーツ６が位置しており、排気管７を通過する高温の排気ガスによって樹脂性またはゴムブーツ６が変形したり、ジョイント５の内部に設けられた潤滑剤を劣化させてしまうおそれがある。
このため、排気管７と樹脂性またはゴムブーツ６との間には遮熱部材としてのヒートインシュレータ１１が介装されている。
【００４０】
ヒートインシュレータ１１は、金属材料から構成されており、延在方向一端部がボルト８ａ、８ｂ、８ｃによって片持ちで内燃機関１のオイルパン１ａに取付けられ、延在方向他端部が自由端を構成している。なお、本実施の形態では、内燃機関１が振動体を構成している。
【００４１】
図３、図４に示すように、ヒートインシュレータ１１は、ヒートインシュレータ１１の延在方向に亘ってそれぞれ延在する第１のカバー部としてのカバー部１２と、第２のカバー部としてのカバー部１３と、カバー部１２およびカバー部１３の間に位置する第３のカバー部としてのカバー部１４とを含んで構成されている。
【００４２】
カバー部１２、カバー部１３およびカバー部１４の延在方向一端部には第１のボルト支持部としてのボルト支持部１２Ａ、第２のボルト支持部としてのボルト支持部１３Ａおよび第３のボルト支持部としてのボルト支持部１４Ａがそれぞれ形成されており、このボルト支持部１２Ａ、１３Ａ、１４Ａにはボルト８ａ、８ｂ、８ｃが挿通されるボルト穴１２ａ、１３ａ、１４ａが形成されている。
【００４３】
したがって、このボルト穴１２ａ、１３ａ、１４ａを通してオイルパン１ａにワッシャ９ａ、９ｂ、９ｃを介してボルト８ａ、８ｂ、８ｃを螺合させることにより、ヒートインシュレータ１１がオイルパン１ａに片持ちで取付けられる。
【００４４】
また、ボルト支持部１４Ａの座面は、ボルト支持部１２Ａ、１３Ａの座面に対してボルト８ａ、８ｂ、８ｃの軸線方向に離隔しており、ボルト支持部１４Ａは、ボルト支持部１２Ａ、１３Ａに対して高低差を有している。また、カバー部１２およびカバー部１３は、ボルト８ａ、８ｂ、８ｃの軸線方向に対して同一平面上で延在方向一端部から他端部に延在している。
【００４５】
また、カバー部１２の幅方向一端部とカバー部１４の幅方向一端部とは第１の連接部材としての縦壁１５ａによって段違いに連接されており、カバー部１３の幅方向一端部とカバー部１４の幅方向他端部とは第２の連接部としての縦壁１５ｂによって段違いに連接されている。
【００４６】
このため、カバー部１４は、カバー部１２およびカバー部１４に対して縦壁１５ａ、１５ｂを介して屈曲している。また、カバー部１４の高さは、ボルト支持部１２Ａからカバー部１４の延在方向他端部である自由端に向かうに従って漸次低くなるよう傾斜しており、縦壁１５ａ、１５ｂの高さは、ボルト支持部１２Ａからカバー部１４の延在方向他端部に向かうに従って漸次低くなっている。すなわち、カバー部１４および縦壁１５ａ、１５ｂは、カバー部１２、１３に対して略コの字形状に屈曲しており、この屈曲部が、ボルト支持部１２Ａからカバー部１４の延在方向他端部に向かうに従って漸次低くなるよう傾斜している。
【００４７】
また、カバー部１４は、ボルト支持部１４Ａから延在方向他端部に向かって幅広に形成されており、カバー部１４は、ヒートインシュレータ１１の延在方向一端部から他端部に向かって幅広で漸次低くなるように傾斜している。
【００４８】
このため、図５、図６に示すようにカバー部１２、カバー部１３およびカバー部１４の延在方向他端部、すなわち、ヒートインシュレータ１１の延在方向他端部は、略同一の厚みで薄く形成される。
【００４９】
また、カバー部１２およびカバー部１３の延在方向他端部にはテーパ１２ｂ、１３ｂが形成されており、このテーパ１２ｂ、１３ｂによってカバー部１２およびカバー部１３の延在方向他端部の質量が調整されている。
【００５０】
次に、作用を説明する。
ヒートインシュレータ１１は、ドライブシャフト３Ｒと排気管７との間の遮熱領域に設置されており、ドライブシャフト３Ｒのジョイント５を覆う樹脂性またはゴムブーツ６を排気管７から遮蔽している。
【００５１】
このため、排気管７から樹脂性またはゴムブーツ６に熱が伝達されるのを防止することができ、樹脂性またはゴムブーツ６が熱によって変形したり、ジョイント５に充填された潤滑剤が劣化してしまうこと等を防止することができる。
【００５２】
一方、本実施の形態のヒートインシュレータ１１は、ヒートインシュレータ１１の延在方向一端部に、ボルト８ａ、８ｂ、８ｃによって内燃機関１のオイルパン１ａに支持されるボルト支持部１２Ａ〜１４Ａを設け、真ん中に位置するボルト支持部１４Ａの座面をボルト支持部１２Ａ、１３Ａの座面に対してボルト８ａ、８ｂ、８ｃの軸線方向に離隔させたので、ボルト支持部１４Ａをボルト支持部１２Ａ、１３Ａに対して屈曲させることができ、オイルパン１ａに片持ち支持されるヒートインシュレータ１１の延在方向一端部の断面係数を大きくすることができる。
【００５３】
このため、ヒートインシュレータ１１の板厚を大きくしたり、ヒートインシュレータ１１を高強度な材料から構成したり、あるいは、ヒートインシュレータ１１をリブで補強したりするのを不要にして簡素な構成でオイルパン１ａに片持ち支持されるヒートインシュレータ１１の延在方向一端部の剛性を高くすることができる。この結果、内燃機関１からヒートインシュレータ１１に振動が伝達された場合にヒートインシュレータ１１の耐久性を向上させることができる。
【００５４】
また、ヒートインシュレータ１１の延在方向一端部をボルト８ａ、８ｂ、８ｃを介してオイルパン１ａに取付け、ヒートインシュレータ１１の延在方向他端部を自由端から構成しているため、ヒートインシュレータ１１の設置スペースを少なくすることができる。
この結果、簡素な構成によってヒートインシュレータ１１の剛性を高めつつ、少ないスペースでヒートインシュレータ１１を設置することができる。
【００５５】
また、本実施の形態のヒートインシュレータ１１は、ボルト支持部１２Ａからヒートインシュレータ１１の延在方向他端部に向かって延在するカバー部１２と、ボルト支持部１３Ａからヒートインシュレータ１１の延在方向他端部に向かって延在するカバー部１３と、ボルト支持部１４Ａからヒートインシュレータ１１の延在方向他端部に向かって延在するカバー部１４と、カバー部１２とカバー部１４とを段違いに連接する縦壁１５ａと、カバー部１３とカバー部１４とを段違いに連接する縦壁１５ｂとを含んで構成され、カバー部１４の高さがボルト支持部１４Ａからヒートインシュレータ１１の延在方向他端部に向かって漸次低くなるように傾斜される。
【００５６】
このため、ヒートインシュレータ１１の延在方向他端部ではボルト支持部１４Ａとボルト支持部１２Ａ、１３Ａとの高低差が大きいのに対して、カバー部１２〜１４の軸線方向他端部の厚みを略同一の厚みで薄くすることができる。
【００５７】
したがって、ヒートインシュレータ１１の延在方向一端部の設置スペースに対してヒートインシュレータ１１の延在方向他端部の設置スペースを大幅に少なくすることができ、全体的にヒートインシュレータ１１の設置スペースを低減することができる。
【００５８】
また、剛性の高いヒートインシュレータ１１の延在方向一端部に比べてヒートインシュレータ１１の延在方向他端部の厚みが小さいため、内燃機関１からヒートインシュレータ１１に振動が伝達されたときに、カバー部１４の幅方向両側に位置するカバー部１２、１３の延在方向他端部に振動が発生し易くなり、この部位が振動主要部となる。
【００５９】
このため、カバー部１２、１３の延在方向他端部にテーパ１２ｂ、１３ｂを形成して、振動主要部となるカバー部１２、１３の延在方向他端部の形状を変更し、振動主要部の質量を調整することで、ヒートインシュレータ１１の共振点を容易に変更することができる。
この結果、ヒートインシュレータ１１の共振周波数を内燃機関１の共振周波数からずらすことができ、ヒートインシュレータ１１の耐久性をより一層向上させることができる。
【００６０】
また、本実施の形態では、カバー部１４を、ボルト支持部１４Ａからヒートインシュレータ１１の延在方向他端部に向かって幅広に形成したので、カバー部１４をヒートインシュレータ１１の延在方向一端部から他端部に向かって幅広で漸次低くなるように傾斜させることができる。
【００６１】
このため、ヒートインシュレータ１１の断面係数を遮熱部材の延在方向一端部から他端部に亘って高くすることができ、ヒートインシュレータ１１の剛性を全体的に高くすることができる。
したがって、簡素な構成でヒートインシュレータ１１の剛性を高くすることができ、振動に対するヒートインシュレータ１１の耐久性をより一層向上させることができる。
【００６２】
また、本実施の形態では、ヒートインシュレータ１１をドライブシャフト３Ｒの樹脂性またはゴムブーツ６と排気管７との間の遮熱領域に設置したので、ヒートインシュレータ１１の延在方向一端部をオイルパン１ａにボルト８ａ、８ｂ、８ｃによって片持ちで取付け、ヒートインシュレータ１１の延在方向他端部を樹脂性またはゴムブーツ６と排気管７との間の隙間に挿通するようにすれば、樹脂性またはゴムブーツ６と排気管７との間の隙間が小さい場合であっても、ヒートインシュレータ１１を樹脂性またはゴムブーツ６と排気管７との間に確実に設置することができる。
【００６３】
なお、本実施の形態では、カバー部１２、１３の延在方向他端部にテーパ１２ｂ、１３ｂを形成して、ヒートインシュレータ１１の共振点を変更しているが、これに限らず、図７、図８に示すように、カバー部１２の延在方向他端部に湾曲部１２ｃを設けることにより、カバー部１２の延在方向他端部の形状を変更し、振動主要部の質量を調整することで、ヒートインシュレータ１１の共振点を変更してもよい。
【００６４】
また、本実施の形態では、ヒートインシュレータ１１をドライブシャフト３Ｒと排気管７との間に設置しているが、これに限らず、プロペラシャフトと排気管７との間に設置してもよい。
【００６５】
このようにすれば、プロペラシャフトのジョイントを覆う樹脂性またはゴムブーツが熱によって変形したり、ジョイントに充填された潤滑剤が劣化してしまうこと等を防止することができる。
【００６６】
また、本実施の形態のヒートインシュレータ１１は、内燃機関１のオイルパン１ａに取付けられているが、排気管から熱害を受ける排気管の周辺部材と排気管との位置関係に応じてヒートインシュレータ１１が取付けられる対象が異なる場合には、ヒートインシュレータ１１は、排気管に取付けられていてもよく、車両のシャーシに取付けられていてもよい。  
本実施の形態のヒートインシュレータは、内燃機関１、排気管または、シャーシ等の振動体に取付けられた場合に効果を発揮することになる。
【００６７】
また、本実施の形態では、排気部品として排気管７の一部を覆うようにヒートインシュレータ１１をオイルパン１ａに取付けられているが、遮熱の対象となる排気部品としては、触媒コンバータやマフラ等であってもよい。
【００６８】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【００６９】
以上のように、本発明に係る排気部品の遮熱構造は、簡素な構成によって遮熱部材の剛性を高めつつ、少ないスペースで遮熱部材を設置することができるという効果を有し、車両の内燃機関に接続された排気部品から発生する熱が排気部品の周辺部材に伝達されて熱害が発生するのを防止するようにした排気部品の遮熱構造等として有用である。
【符号の説明】
【００７０】
１  内燃機関（振動体）
３Ｒ  ドライブシャフト
７  排気管（排気部品）
８ａ、８ｂ、８ｃ  ボルト
１１  ヒートインシュレータ（遮熱部材）
１２  カバー部（第１のカバー部）
１２Ａ  ボルト支持部（第１のボルト支持部）
１３  カバー部（第２のカバー部）
１３Ａ  ボルト支持部（第２のボルト支持部）
１４  カバー部（第３のカバー部）
１４Ａ  ボルト支持部（第３のボルト支持部）
１５ａ  縦壁（第１の連接部）
１５ｂ  縦壁（第２の連接部）
【図１】
0005614233.tif 000002
【図２】
0005614233.tif 000003
【図３】
0005614233.tif 000004
【図４】
0005614233.tif 000005
【図５】
0005614233.tif 000006
【図６】
0005614233.tif 000007
【図７】
0005614233.tif 000008
【図８】
0005614233.tif 000009